(57)【要約】【課題】背面側透明フィルムに印刷された文字又は図柄が正面側透明フィルムに印刷された文字図柄と混じり合わない包装袋を提供することにある。【解決手段】包装袋１は、正面側透明フィルム２と、内側の面に文字又は図柄７が印刷された背面側透明フィルム３が重ね合わされ、熱シールされてなる。背面側透明フィルム３の内側の面に、文字又は図柄７を正面側から見えないように隠蔽する隠蔽層１０が設けられていることを特徴とする。【選択図】図１
2016141469.tif 000002
【特許請求の範囲】
【請求項１】
正面側透明フィルムと、内側の面に文字又は図柄が印刷された背面側透明フィルムが重ね合わされ、熱シールされてなる包装袋において、
前記背面側透明フィルムの内側の面に、前記文字又は図柄を正面側から見えないように隠蔽する隠蔽層が設けられていることを特徴とする包装袋。
【請求項２】
前記隠蔽層は、前記背面側透明フィルムの内側の面全体を覆うように印刷インキにより全面印刷されたフィルム又はラミネートされたアルミ箔又はアルミ蒸着フィルムからなる請求項１に記載の包装袋。
【発明の詳細な説明】
【技術分野】
【０００１】
本発明は、一般に正面側透明フィルムと背面側透明フィルムが重ね合わされてなる包装袋に関するものであり、より特定的には、背面側透明フィルムに印刷された文字又は図柄（以下文字図柄と略す）が正面側から見えないように改良された包装袋に関する。
【背景技術】
【０００２】
図２は、化粧品、文房具、一般雑貨品、青果物、果実、工具などを包装する従来の包装袋の斜視図である。従来の包装袋１は、正面側透明フィルム２と背面側透明フィルム３が重ね合わされ、底部と両サイドが熱シールされてなる。４はシール部である。底部はガゼット折５されており、上部には、商品を陳列するための吊り下げ用孔６が設けられている。背面側透明フィルム３には、包装される商品の名称、製造元、製造国名、バーコード、説明書き、効能書き、成分表示などに代表される文字図柄７が印刷されている。正面側透明フィルム２は、被包装物である商品だけを視認することができるように、文字図柄無しになっている場合もあるが、商品に関連する簡単な文字図柄８が印刷されている場合もある。
【発明の概要】
【発明が解決しようとする課題】
【０００３】
さて、従来の包装袋１において、正面側透明フィルム２と背面側透明フィルム３は、共に光透過性であるため、背面側透明フィルム３に印刷された商品情報である文字図柄７が、正面側に透過して、正面側透明フィルム２に印刷された文字図柄８と重なり、混じり合い、情報が交錯し、うまく読み取れないという問題点があった。このような場合、正面側透明フィルム２と背面側透明フィルム３の間に、例えばボール紙を挟みこんで背面側透明フィルム３に印刷された文字図柄７が正面側から見えないように遮断する方法もあるが、使用後のごみ容積が大きくなるという問題、柔軟性に欠けるなどの問題が生じていた。また高級品を包装する場合には、販促用としては充分なデザインというものではなかった。
【０００４】
この発明は上記のような問題点を解決するためになされたもので、背面側透明フィルムに印刷された商品情報である文字図柄が、正面側から見えないように改良された包装袋を提供することを目的とする。
【０００５】
この発明の他の目的は、使用後のごみ容積を小さくし、また販促用デザインという面においても優れた包装袋を提供することにある。
【課題を解決するための手段】
【０００６】
この発明は、正面側透明フィルムと、内側の面に文字図柄が印刷された背面側透明フィルムが重ね合わされ、熱シールされてなる包装袋に係る。上記背面側透明フィルムの内側の面に、上記文字図柄を正面側から見えないように隠蔽する隠蔽層が設けられていることを特徴とする。
【０００７】
隠蔽層を備えるので、背面側透明フィルムに印刷された文字図柄が、正面側に透過しない。
【０００８】
上記隠蔽層は、上記背面側透明フィルムの内側の面全体を覆うように印刷インキにより全面印刷されたフィルム又は上記背面側透過フィルムの内側の面全体を覆うようにラミネートされたアルミ箔若しくはアルミ蒸着フィルムからなるのが好ましい。
【０００９】
この発明において、上記正面側透明フィルム及び背面側透明フィルムは、二軸延伸ポリエチレンテレフタレートフィルム又は二軸延伸ポリプロピレンフィルムで形成されるのが好ましい。
【００１０】
また、この発明において、当該包装袋はピロー袋又はガゼット袋であってもよい。
【発明の効果】
【００１１】
この発明に係る包装袋によれば、背面側透明フィルムに印刷された文字図柄を正面側から見えないように隠蔽する隠蔽層を備えるので、背面側透明フィルムに印刷された文字図柄が、正面側に透過しない。その結果、背面側透明フィルムに印刷された文字図柄が、正面側透明フィルムに印刷された文字図柄と混じり合わない、ひいては情報が効果的に読み取られ得る。
【図面の簡単な説明】
【００１２】
【図１】（Ａ）は、本発明に係る包装袋を正面側から見た斜視図であり、（Ｂ）は、背面側から見た斜視図であり、（Ｃ）は、図１（Ａ）におけるＣ−Ｃ線に沿う断面図である。
【図２】従来の包装袋の斜視図である。
【発明を実施するための形態】
【００１３】
背面側透明フィルムに印刷された商品情報である文字図柄が、正面側に透過して現れないように改良された包装袋を得るという目的を、背面側透明フィルムの内側の面に、上記文字図柄を正面側から見えないように隠蔽する隠蔽層を設けることによって実現した。以下、この発明の実施の形態を図面を用いて説明する。なお、各図中同一又は相当する部分には同一の参照番号を付し、その説明を繰り返さない。
【００１４】
図１（Ａ）は、本発明に係る包装袋を正面側から見た斜視図であり、図１（Ｂ）は、背面側から見た斜視図であり、図１（Ｃ）は、図１（Ａ）におけるＣ−Ｃ線に沿う断面図である。
【００１５】
これらの図を参照して、本発明に係る包装袋１は、正面側透明フィルム２と、内側の面に文字図柄７が印刷された背面側透明フィルム３が重ね合わされ、底部と両サイドが熱シールされてなる。
【００１６】
図１（Ｃ）を参照して、正面側透明フィルム２の内側の面には文字図柄８が印刷され、その上にシール層９ａがラミネートされている。なお、この正面側の文字図柄８は本発明にとって必須のものではない。シール層９ａは、ヒートシールすることが可能であれば、特に限定はされないが、低密度ポリエチレンまたは無延伸のポリプロピレンフィルムで形成されることが好ましい。フィルムの厚みは、１２〜１５０μｍ、好ましくは３０〜１００μｍである。
【００１７】
背面側透明フィルム３の内側の面には文字図柄７が印刷され、内側の面全体を覆うように、厚さ１０〜３０μｍの二軸延伸ポリエチレンテレフタレートフィルム若しくは二軸延伸ポリプロピレンフィルムに銀インキで印刷を施したフィルム、又は厚さ５〜２０μｍの、アルミニウム箔（以下、アルミ箔という）又はアルミ蒸着フィルムがラミネートされ隠蔽層１０を形成し、さらにシール層９ｂが全面にラミネートされている。正面側透明フィルム２と背面側透明フィルム３は、２枚重ね合わせて底部と両サイドをヒートシールすることにより、シール部４を形成し、貼り合わされている。
【００１８】
このような構造により、シール部４を含めてアルミ箔の美しい銀色の地色で全体が彩られ、販促用デザインという面においても優れた、柔軟性に富む包装袋１に仕上がった。文字図柄７，８は、銀色の地色の上に現れて見えるので、文字図柄７，８が鮮明化され、効果的に需要者の視覚に訴えることができる。隠蔽層１０であるアルミ箔又はアルミ蒸着フィルムは光遮断性を有するので、背面側透明フィルム３の内側に設けられた文字図柄７は、正面側には透過せず、正面側透明フィルム２に設けられた文字図柄８と混じり合わない。その結果、正面側透明フィルム２と背面側透明フィルム３に印刷されたそれぞれの文字図柄７，８の情報を正確に読み取ることができる。
【００１９】
また、デザイン上、白色インキによる全面印刷層を隠蔽層１０に隣接して、両側又はどちらか一方側に設けることもできる。
【００２０】
正面側透明フィルム２と背面側透明フィルム３の材質としては、二軸延伸ポリエチレンテレフタレートフィルムまたは二軸延伸ポリプロピレンフィルムが好ましい。
【００２１】
正面側透明フィルム２と背面側透明フィルム３の厚さは、二軸延伸ポリエチレンテレフタレートフィルムの場合、８〜２５μｍであり、二軸延伸ポリプロピレンフィルムの場合で、１０〜３０μｍであることが望ましい。より好ましくは両者とも、１２〜１５μｍである。
【００２２】
二軸延伸ポリエチレンテレフタレートフィルムとしては、例えば、東洋紡績株式会社製 Ｅ５１００などが例示できる。また、二軸延伸ポリプロピレンフィルムとしては、例えば、サントックス株式会社製 ＰＡ２０や東洋紡績株式会社製 パイレンＰ２１６１などが例示できる。
【００２３】
本発明に係る包装袋は、包装される商品の名称、製造元、製造国名、バーコード、説明書き、効能書き、成分表示などを必要とする化粧品、文房具、一般雑貨品、青果物、果実、工具などの包装に利用することができる。
【００２４】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２５】
本発明に係る包装袋によれば、背面側透明フィルムに印刷された文字図柄が、正面側透明フィルムに印刷された文字図柄と混じり合わない、ひいては商品情報が正確に読み取られ得る。
【符号の説明】
【００２６】
１          包装袋
２          正面側透明フィルム
３          背面側透明フィルム
４          シール部
５          ガゼット折
６          吊り下げ用孔
７，８      文字図柄
９ａ，９ｂ  シール層
１０        隠蔽層
【図１】
2016141469.tif 000003
【図２】
2016141469.tif 000004